(57)【要約】【課題】照合のための処理の効率化を図る。【解決手段】第１の照合要件による照合が完了する前に第２の照合要件が発生したことを判定すると（Ｓ１０４でＹＥＳと判定）、第１の照合要件が対象としている全照合エリアと第２の照合要件が対象としている全照合エリアに重複する照合エリアがあるか否かを判定し（Ｓ１０６）、重複する照合エリアがあると判定した場合、重複する全ての照合エリアについて、１回の照合により得られた照合結果を第１、第２の照合要件の各照合結果とみなして照合結果を確定する（Ｓ１０８）。【選択図】図２
2010074493.tif 000002
【特許請求の範囲】
【請求項１】
車両各部に設けられた複数のアンテナから電波を順次送出させ、当該電波の送出に応じて携帯機から返送される応答データの受信判定を行うことにより、複数の照合エリアを対象とした携帯機の照合を行うことが可能な車載装置であって、
第１の照合要件が発生したことを判定すると、当該第１の照合要件が対象としている照合エリアに対して前記携帯機の照合を実施する照合手段と、
前記照合手段による照合が完了する前に前記第１の照合要件と異なる第２の照合要件が発生したか否かを判定する第２の照合要件判定手段と、
前記第２の照合要件判定手段により前記照合が完了する前に第２の照合要件が発生したと判定された場合、前記第１の照合要件が対象としている全照合エリアと前記第２の照合要件が対象としている全照合エリアに重複する照合エリアがあるか否かを判定する照合エリア判定手段と、
前記照合エリア判定手段により前記重複する照合エリアがあると判定された場合、当該重複する全ての照合エリアについて、１回の照合により得られた照合結果を前記第１、第２の照合要件の各照合結果とみなして照合結果を確定する照合結果確定手段と、を備えたことを特徴とする車載装置。
【請求項２】
車両各部に設けられた複数のアンテナから電波を順次送出させ、当該電波の送出に応じて携帯機から返送される応答データの受信判定を行うことにより、複数の照合エリアを対象とした携帯機の照合を行うことが可能な車載装置による携帯機の照合方法であって、
第１の照合要件が発生したことを判定すると、当該第１の照合要件が対象としている照合エリアに対して前記携帯機の照合を実施し、
前記照合が完了する前に前記第１の照合要件と異なる第２の照合要件が発生したか否かを判定し、
前記照合が完了する前に第２の照合要件が発生したと判定された場合、前記第１の照合要件が対象としている全照合エリアと前記第２の照合要件が対象としている全照合エリアに重複する照合エリアがあるか否かを判定し、
前記重複する照合エリアがあると判定された場合、当該重複する全ての照合エリアについて、１回の照合により得られた照合結果を前記第１、第２の照合要件の各照合結果とみなして照合結果を確定することを特徴とする携帯機の照合方法。
【発明の詳細な説明】
【技術分野】
【０００１】
本発明は、車両各部に設けられた複数のアンテナから電波を順次送出し、当該電波の送出に応じて携帯機から返送される応答データの受信判定を行うことにより、複数の照合エリアを対象として当該照合エリア内に存在する携帯機の照合を行うことが可能な車載装置および携帯機の照合方法に関するものである。
【背景技術】
【０００２】
従来、携帯機である電子キーを呼び出すために、車載装置から暗号鍵となるチャレンジコード及び複数の携帯機のキーＩＤを送信し、この携帯機から自己のキーＩＤをチャレンジコードを用いて暗号化した応答データを送信させ、この送信データが正規の携帯機からのものであるか否かを照合し、照合結果に応じて制御対象機器を制御するようにした車載装置がある（例えば、特許文献１参照）。
【特許文献１】特開２００４−１５０１２４号公報
【発明の開示】
【発明が解決しようとする課題】
【０００３】
上記したような車載装置では、複数のアプリケーションを並行して実行することにより、車両のドアのアンロック、車両のドアのロック、車両のエンジンの始動などの各機能を実現するようになっている。すなわち、複数のアプリケーションを並行して実行し、各アプリケーションからの照合要求に応じて、車室内の前部に設置された車室内前アンテナ、車室内の後部に設置された車室内後アンテナ、バックドア内に設置されたバックドア内アンテナなどの、車両各部に設けられた各アンテナから携帯機を照合するための電波を順次送信させ、この電波の送信に応じて携帯機から返送される応答データの受信判定を行うことにより、携帯機の照合を行い、車両のドアのアンロック、車両のドアのロック、車両のエンジンの始動などの各機能を実現するようになっている。
【０００４】
このように、複数のアプリケーションを並行して実行し、各アプリケーションからの照合要求に応じて携帯機の照合を行う場合、あるアプリケーションによる照合要求に応じて複数の照合エリアに対して順次照合を実施している途中で、別のアプリケーションから同一の照合エリアを含む照合要求が発生する場合がある。
【０００５】
このような場合、従来の車載装置では、後のアプリケーションの照合要件が発生した時点で、先のアプリケーションの照合要件による照合が完了していない未照合エリアについて、照合エリア単位で先のアプリケーションの照合結果と後のアプリケーションの照合結果を共有するようにして照合結果を確定するようにしている。
【０００６】
図６に、車室内前部、車室内後部およびバックドア内部を照合対象とするアプリケーションＡによる照合要件が発生し、この照合要件に応じて車室内前部の照合を完了した後、車室内後部の照合を実施している最中に、同一の照合エリアを照合対象とするアプリケーションＢによる照合要件が発生した場合の処理の様子を示す。
【０００７】
図に示すように、従来の車載装置では、後のアプリケーションＢの照合要件が発生した時点で、先のアプリケーションＡの照合要件による照合が完了していない未照合エリアについては、先のアプリケーションＡの照合結果を後のアプリケーションＢの照合結果とみなすようにして照合結果を確定するようにして、同一の照合エリアに対して何度も照合を実施しないようにしている。
【０００８】
しかし、後のアプリケーションＢの照合要件が発生した時点で、先のアプリケーションＡの照合要件により既に照合が完了している車室内前部についてまで、照合結果を共有するようになっていない。このため、既に照合が完了している車室内前部について、再度、照合を実施するようになっている。つまり、同一の照合エリアに対して２回照合を実施することになり効率が悪いといった問題がある。
【０００９】
本発明は上記問題に鑑みたもので、照合のための処理の効率化を図ることを目的とする。
【課題を解決するための手段】
【００１０】
上記目的を達成するため、請求項１に記載の発明は、第１の照合要件が発生したことを判定すると、当該第１の照合要件が対象としている照合エリアに対して携帯機の照合を実施する照合手段と、照合手段による照合が完了する前に第１の照合要件と異なる第２の照合要件が発生したか否かを判定する第２の照合要件判定手段と、第２の照合要件判定手段により照合が完了する前に第２の照合要件が発生したと判定された場合、第１の照合要件が対象としている全照合エリアと第２の照合要件が対象としている全照合エリアに重複する照合エリアがあるか否かを判定する照合エリア判定手段と、照合エリア判定手段により重複する照合エリアがあると判定された場合、当該重複する全ての照合エリアについて、１回の照合により得られた照合結果を第１、第２の照合要件の各照合結果とみなして照合結果を確定する照合結果確定手段と、を備えたことを特徴としている。
【００１１】
このような構成によれば、第１の照合要件に応じた照合が完了する前に第１の照合要件と異なる第２の照合要件が発生したと判定された場合、第１の照合要件が対象としている全照合エリアと第２の照合要件が対象としている全照合エリアに重複する照合エリアがあるか否かを判定し、重複する照合エリアがあると判定された場合、当該重複する全ての照合エリアについて、１回の照合により得られた照合結果を第１、第２の照合要件の各照合結果とみなして照合結果を確定するので、例えば、第２の照合要件が発生した時点で、重複する照合エリアの一部の照合エリアに対する照合が既に完了していたとしても、その照合エリアに対する２回目の照合を実施しないようにすることができ、照合のための処理の効率化を図ることができる。なお、第２の照合要件は、単一の照合要件であってもよく、照合エリアの異なる複数の照合要件であってもよい。
【００１２】
また、請求項２に記載の発明は、請求項１に記載の発明を方法の発明として把握したものである。このように、本発明は、車載装置という物の発明としてだけでなく、方法の発明として把握することもできる。請求項２の特徴事項および効果に関しては、請求項１に記載の発明と同様である。
【発明を実施するための最良の形態】
【００１３】
本発明の一実施形態に係る車載装置の全体構成を図１に示す。本車載装置は、照合ＥＣＵ１０、Ｄ席車室外アンテナ１１ａ、ＤＲ席車室外アンテナ１１ｂ、Ｐ席車室外アンテナ１１ｃ、ＰＲ席車室外アンテナ１１ｄ、車室内前部アンテナ１１ｅ、車室内後部アンテナ１１ｆ、バックドア内部アンテナ１１ｇ、バックドア外部アンテナ１１ｈおよびチューナ１２を備えている。
【００１４】
本車載装置は、車両１に搭載され、車両１の各部に設けられた各アンテナ１１ａ〜１１ｈから電子キーとして用いられる携帯機２を照合するための電波を送出させ、この電波の送出に応じて携帯機２から返送される応答データの受信判定を行うことにより携帯機２の照合を行う。なお、各アンテナ１１ａ〜１１ｈから携帯機２を照合するための電波を順次送出させ、この電波の送出に応じて携帯機２から返送される応答データの受信判定を行うことにより、複数の照合エリアを対象とした携帯機２の照合を行うことも可能となっている。
【００１５】
図に示すように、各アンテナ１１ａ〜１１ｈは車両１の各部に設けられ、照合ＥＣＵ１０より入力される信号に応じた電波を無線送信する。
【００１６】
チューナ１２は、携帯機２より返送される応答データを受信するための装置である。
【００１７】
照合ＥＣＵ１０は、ＣＰＵ、メモリ、Ｉ／Ｏ等を備えたコンピュータとして構成されており、ＣＰＵはメモリに記憶された各アプリケーションプログラムを実行することにより、車両１の各ドアのアンロック、車両１の各ドアのロック、車両１のエンジン始動の可否制御などの各機能を実現する。なお、メモリには、ＲＡＭ、ＲＯＭ、フラッシュメモリがある。
【００１８】
照合ＥＣＵ１０は、複数のアプリケーションを並行して実行し、各アプリケーションにより照合要件が発生したことを判定すると、この照合要件が対象とする照合エリアに対して携帯機２の照合する処理を実施する。
【００１９】
照合ＥＣＵ１０のメモリには、車両１用の携帯機２のキーＩＤが記憶されており、照合ＥＣＵ１０は、メモリに記憶されている携帯機２のキーＩＤを読み出し、この携帯機２のキーＩＤを含むコマンドを送出するようになっている。
【００２０】
携帯機２には、固有のキーＩＤが割り当てられており、携帯機２は、照合ＥＣＵ１０より自己のキーＩＤと同一のキーＩＤを含むコマンドを受信した場合に、応答データを送出するようになっている。
【００２１】
照合ＥＣＵ１０は、メモリに記憶されている車両１用の携帯機２のキーＩＤを読み出し、この携帯機２のキーＩＤを含むコマンドを送出し、このコマンドの送出に応じて携帯機２より応答データが受信されるか否かを判定することにより携帯機２の照合を行う。
【００２２】
図２に、照合ＥＣＵ１０による携帯機２の照合処理のフローチャートを示す。照合ＥＣＵ１０は、あるアプリケーションにより照合要件（第１の照合要件）が発生すると、図２に示す照合処理を実施する。
【００２３】
まず、照合エリアの検索順位を特定する（Ｓ１００）。照合ＥＣＵ１０のメモリには、照合要件毎に、照合エリアの検索順位の優先度を規定したテーブルが記憶されており、このテーブルを参照して第１の照合要件が対象としている照合エリアの検索順位を特定する。
【００２４】
次に、当該エリアの照合を開始する（Ｓ１０２）。具体的には、先のＳ１００にて特定した検索順位に従って、照合エリア毎に、携帯機２を照合するための電波を送出し、この電波の送出に応じて携帯機２から返送される応答データの受信判定を行うことにより、携帯機２の照合を繰り返し実施する処理を開始する。
【００２５】
次に、他の照合要件（第２の照合要件）が発生したか否かを判定する（Ｓ１０４）。具体的には、他のアプリケーションによる他の照合要件が発生したか否かを判定する。
【００２６】
ここで、他の照合要件が発生していない場合、Ｓ１０４の判定はＮＯとなり、次に、照合が完了したか否かを判定する（Ｓ１１０）。具体的には、第１の照合要件による照合が完了したか否かを判定する。
【００２７】
第１の照合要件による照合が完了していない場合、Ｓ１１０の判定はＮＯとなり、Ｓ１０４へ戻る。また、第１の照合要件による照合が完了する前に、他の照合要件（第２の照合要件）が発生した場合、Ｓ１０４の判定はＹＥＳとなり、次に、各照合要件で重複する照合エリアがあるか否かを判定する（Ｓ１０６）。すなわち、第１の照合要件が対象としている全照合エリアと第２の照合要件が対象としている全照合エリアを、それぞれ１つの概念エリアとして捉え、各概念エリアにおいて重複する照合エリアがあるか否かを判定する。具体的には、第２の照合要件が第１の照合要件の照合エリアと重複する照合エリアを照合対象とするものであるか否かを判定する。
【００２８】
ここで、各概念エリアにおいて重複する照合エリアがある場合、すなわち、第２の照合要件が第１の照合要件の照合エリアと重複する照合エリアを照合対象とするものである場合、Ｓ１０６の判定はＹＥＳとなり、次に、重複する全ての照合エリアについて照合結果を共有するように照合を実施する（Ｓ１０８）。すなわち、第１の照合要件に対する照合結果と第２の照合要件に対する照合結果を共有するようにして照合結果を確定する。具体的には、重複する全ての照合エリアについて、１回の照合により得られた照合結果を第１、第２の照合要件の各照合結果とみなして照合結果を確定する。本実施形態では、第１の照合要件に応じて実施した照合により得られた照合結果を、第２の照合要件に応じて実施した照合により得られた照合結果とみなして照合結果を確定する。なお、重複していない照合エリアに対する照合も実施し、照合結果を確定する。
【００２９】
Ｓ１１０では、照合が完了したか否かを判定する。具体的には、各照合エリアに対する照合が完了したか否かを判定する。
【００３０】
照合が完了していない場合、Ｓ１１０の判定はＮＯとなり、Ｓ１０４〜Ｓ１０８の処理が繰り返し実施される。
【００３１】
そして、照合が完了すると、Ｓ１１０の判定はＹＥＳとなり、次に、照合要件を充たす照合エリアの照合結果がすべて確定したか否かを判定する（Ｓ１１２）。すなわち、第１、第２のいずれかの照合要件が対象としている各照合エリアについて照合結果がすべて確定したか否かを判定する。
【００３２】
ここで、第１、第２のいずれかの照合要件が対象としている各照合エリアについて照合結果がすべて確定していない場合には、Ｓ１００へ戻る。また、第１、第２のいずれかの照合要件が対象としている各照合エリアについて照合結果がすべて確定すると、照合要件に対する照合結果を確定する（Ｓ１１４）。具体的には、確定した照合結果を、照合要件発生元のアプリケーションに対して通知する。
【００３３】
次に、各照合要件に対して照合すべき照合エリアがまだあるか否かを判定する（Ｓ１１６）。すなわち、照合が完了していない照合要件がまだあるか否かを判定する。
【００３４】
ここで、照合が完了していない照合要件がまだある場合には、Ｓ１００へ戻り、照合が完了していない照合要件に対する照合を実施する。
【００３５】
そして、照合が完了し、この照合が完了した照合要件を充たす照合エリアの照合結果がすべて確定すると、確定した照合結果が、照合要件発生元のアプリケーションに対して通知される。
【００３６】
そして、照合が完了していない照合要件がなくなると、Ｓ１１６の判定はＮＯとなり、本処理を終了する。
【００３７】
したがって、例えば、第１の照合要件が対象としている各照合エリアについて照合結果がすべて確定すると、照合結果が確定した時点で、第１の照合要件が照合対象としている全ての照合結果が、第１の照合要件の発生元のアプリケーションに通知され、その後、第２の照合要件が対象としている各照合エリアについて照合結果がすべて確定すると、照合結果が確定した時点で、第２の照合要件が照合対象としている全ての照合結果が、第２の照合要件の発生元のアプリケーションに通知される。
【００３８】
図６と同様に、車室内前部、車室内後部およびバックドア内部を照合対象とするアプリケーションＡにより照合要件が発生し、この照合要件に応じて車室内前部の照合を完了した後、車室内後部の照合を実施している最中に、アプリケーションＢにより同一の照合エリアを照合対象とする照合要件が発生した場合の処理の様子を図３に示す。
【００３９】
図６に示したように、従来の車載装置では、既に照合が完了している車室内前部について２回の照合を実施するようになっていたが、本実施形態では、アプリケーションＡによる第１の照合要件が対象としている全照合エリアとアプリケーションＢによる第２の照合要件が対象としている全照合エリアの重複する全ての照合エリアについて照合結果を共有するように照合結果が確定されるので、図３に示すように、車室内前部についても１回の照合を実施するのみとなっている。
【００４０】
図４には、車室内前部および車室内後部を照合対象とするアプリケーションＡにより照合要件が発生し、この照合要件に応じて車室内前部の照合を完了した後、車室内後部の照合を実施している最中に、車室内前部、車室内後部およびバックドア内部を照合対象とするアプリケーションＢによる照合要件が発生した場合の処理の様子が示されている。
【００４１】
このような場合、従来、既に照合が完了している車室内前部について２回の照合を実施するようになっていたが、本発明では、アプリケーションＡによる第１の照合要件が対象としている全照合エリアとアプリケーションＢによる第２の照合要件が対象としている全照合エリアの重複する全ての照合エリアについて照合結果を共有するように照合結果が確定されるので、車室内前部についても１回の照合を実施するのみとなっている。
【００４２】
また、車室内前部について１回の照合を実施するのみとなるため、車室内後部の照合結果が確定した時点で、アプリケーションＡに対する照合結果が通知され、バックドア内部の照合結果が確定した時点で、アプリケーションＢに対する照合結果が通知され、従来と比較して照合に要する期間が短縮されていることが分かる。すなわち、照合処理の応答性を向上するといった効果を得ることもできる。
【００４３】
図５には、車室内前部、車室内後部およびバックドア内部を照合対象とするアプリケーションＡにより照合要件が発生し、この照合要件に応じて車室内前部の照合を完了した後、車室内後部の照合を実施している最中に、車室内前部および車室内後部を照合対象とするアプリケーションＢによる照合要件が発生した場合の処理の様子が示されている。
【００４４】
このような場合、従来、既に照合が完了している車室内前部について２回の照合を実施するようになっていたが、本発明では、アプリケーションＡによる第１の照合要件が対象としている全照合エリアとアプリケーションＢによる第２の照合要件が対象としている全照合エリアの重複する全ての照合エリアについて照合結果を共有するように照合結果が確定されるので、車室内前部についても１回の照合を実施するのみとなっている。
【００４５】
この場合においても、車室内前部について１回の照合を実施するのみとなるため、従来と比較してアプリケーションＡに対する照合に要する期間が短縮されていることが分かる。
【００４６】
上記した構成によれば、第１の照合要件に応じた照合が完了する前に第１の照合要件と異なる第２の照合要件が発生したと判定された場合、第１の照合要件が対象としている全照合エリアと第２の照合要件が対象としている全照合エリアに重複する照合エリアがあるか否かを判定し、重複する照合エリアがあると判定された場合、当該重複する全ての照合エリアについて、１回の照合により得られた照合結果を第１、第２の照合要件の各照合結果とみなして照合結果を確定するので、例えば、第２の照合要件が発生した時点で、重複する照合エリアの一部の照合エリアに対する照合が既に完了していたとしても、その照合エリアに対する２回目の照合を実施しないようにすることができ、照合のための処理の効率化を図ることができる。
【００４７】
なお、本発明は上記実施形態に限定されるものではなく、本発明の趣旨に基づいて種々なる形態で実施することができる。
【００４８】
例えば、上記実施形態では、第２の照合要件として単一の照合要件が発生した場合について説明したが、第２の照合要件は、照合エリアの異なる複数の照合要件であってもよい。
【００４９】
また、上記実施形態では、電子キーとして用いられる携帯機２の照合を行う車載装置に本発明を適用したが、電子キー以外の機能を有する携帯機の照合を行う車載装置に適用してもよい。
【００５０】
なお、上記実施形態における構成と特許請求の範囲の構成との対応関係について説明すると、Ｓ１０２が照合手段に相当し、Ｓ１０４が第２の照合判定手段に相当し、Ｓ１０６が照合エリア判定手段に相当し、Ｓ１０８が照合結果確定手段に相当する。
【図面の簡単な説明】
【００５１】
【図１】本発明の一実施形態に係る車載装置の全体構成を示す図である。
【図２】照合ＥＣＵによる携帯機の照合処理のフローチャートである。
【図３】照合処理について説明するための図である。
【図４】照合処理について説明するための図である。
【図５】照合処理について説明するための図である。
【図６】課題を説明するための図である。
【符号の説明】
【００５２】
１              車両
２              携帯機
１０            照合ＥＣＵ
１１ａ〜１１ｈ  アンテナ
１２            チューナ
【図１】
2010074493.tif 000003
【図２】
2010074493.tif 000004
【図３】
2010074493.tif 000005
【図４】
2010074493.tif 000006
【図５】
2010074493.tif 000007
【図６】
2010074493.tif 000008